(57)【特許請求の範囲】
【請求項１】
開口端を有し内容物を収納したエンボス部と、このエンボス部の開口端に設けられたフランジ部とからなる底材と、この底材に接着された蓋材とを有する包装体を載置するための支持台と、
この支持台の下方に配設された受台と、
支持台に対して揺動自在に設けられた揺動機構とを備え、
前記支持台は貫通孔を有するとともに、前記包装体をエンボス部が貫通孔にくるよう蓋材側で支持し、
前記揺動機構は、揺動機構の揺動時にエンボス部を押圧してエンボス部内の内容物により蓋材を破断する押圧部を有し、
揺動機構は押圧部の周囲に押圧部と一体に設けられ、揺動機構の揺動時に支持台との間で包装体のフランジ部を挟持するホルダ部を有することを特徴とする包装体開封装置。
【請求項２】
開口端を有し内容物を収納したエンボス部と、このエンボス部の開口端に設けられたフランジ部とからなる底材と、この底材に接着された蓋材とを有する包装体を載置するための支持台と、
この支持台の下方に配設された受台と、
支持台に対して揺動自在に設けられた揺動機構とを備え、
前記支持台は貫通孔を有するとともに、前記包装体をエンボス部が貫通孔にくるよう蓋材側で支持し、
前記揺動機構は、揺動機構の揺動時にエンボス部を押圧してエンボス部内の内容物により蓋材を破断する押圧部を有することを特徴とする包装体開封装置と、
包装体開封装置に連結されるとともに、包装体を収納した収納箱とを備え、
包装体の底材は切離されて独立するとともに、包装体は蓋材を巻取った状態で収納箱内に収納されていることを特徴とする包装体収納装置。
【請求項３】
揺動機構は押圧部の周囲に押圧部と一体に設けられ、揺動機構の揺動時に支持台との間で包装体のフランジ部を挟持するホルダ部を有することを特徴とする請求項２記載の包装体収納装置。
【発明の詳細な説明】
【０００１】
【発明の属する技術分野】
本発明は錠剤等の内容物を包装した包装体をコンパクトに収納した包装体収納装置、および包装体を開封する包装体開封装置に関する。
【０００２】
【従来の技術】
従来、上端が開口した内容物収納用の多数のエンボス部と、このエンボス部間を連結するフランジ部とからなる底材を用いて錠剤が包装されている。すなわち、錠剤はこの底材の各エンボス部内に収納され、エンボス部内に錠剤が収納された底材は、蓋材をフランジ部にヒートシールすることにより密封される。
【０００３】
このように底材のエンボス部内に錠剤を収納し、底材のフランジ部に蓋材をヒートシールすることにより包装体が得られる。包装体の底材および蓋材には、各エンボス部毎にミシン目が入れられ、包装体はミシン目に沿って各エンボス部毎に分離可能となっている。
【０００４】
【発明が解決しようとする課題】
ところで、包装体のうち底材は塩化ビニル（ＰＶＣ）等からなり、錠剤を安定して収納するためその厚みは比較的厚くなっている。他方、蓋材は底材に比較してその厚みは薄くなっている。
【０００５】
使用者はミシン目から包装体を各エンボス部毎に分離し、蓋材を破断してエンボス部内から錠剤を取出している。
【０００６】
ところで使用者は誤って包装体ごと錠剤を飲んでしまうことがあり、この場合は比較的厚肉の底材の分離端が使用者の体内に引掛ってしまい、大変危険な状態となる。また上述のように包装体の底材は、比較的硬質となっているため、包装体は多段に積み重ねられて収納されるが、多段に積み重ねた場合、収納空間がかさばってしまう。さらに包装体内の錠剤を取出す際、蓋材を破断してエンボス部から錠剤を取出しているが、蓋材の破断および錠剤の取出しを容易かつ簡単に行うことができれば都合が良い。
【０００７】
本発明はこのような点を考慮してなされたものであり、誤ってそのまま飲み込んでも安全で体内の損傷が少なく、緊急の手術が必要となるような重い症状を引き起こすことのない包装体をコンパクトに収納した包装体収納装置、および包装体を開封する包装体開封装置を提供することを目的とする。
【０００８】
【課題を解決するための手段】
本発明の第１の特徴は、開口端を有し内容物を収納したエンボス部と、このエンボス部の開口端に設けられたフランジ部とからなる底材と、この底材に接着された蓋材とを有する包装体を載置するための支持台と、この支持台の下方に配設された受台と、支持台に対して揺動自在に設けられた揺動機構とを備え、前記支持台は貫通孔を有するとともに、前記包装体をエンボス部が貫通孔にくるよう蓋材側で支持し、前記揺動機構は、揺動機構の揺動時にエンボス部を押圧してエンボス部内の内容物により蓋材を破断する押圧部を有し、揺動機構は押圧部の周囲に押圧部と一体に設けられ、揺動機構の揺動時に支持台との間で包装体のフランジ部を挟持するホルダ部を有することを特徴とする包装体開封装置である。
【０００９】
本発明の第２の特徴は、開口端を有し内容物を収納したエンボス部と、このエンボス部の開口端に設けられたフランジ部とからなる底材と、この底材に接着された蓋材とを有する包装体を載置するための支持台と、この支持台の下方に配設された受台と、支持台に対して揺動自在に設けられた揺動機構とを備え、前記支持台は貫通孔を有するとともに、前記包装体をエンボス部が貫通孔にくるよう蓋材側で支持し、前記揺動機構は、揺動機構の揺動時にエンボス部を押圧してエンボス部内の内容物により蓋材を破断する押圧部を有することを特徴とする包装体開封装置と、包装体開封装置に連結されるとともに、包装体を収納した収納箱とを備え、包装体の底材は切離されて独立するとともに、包装体は蓋材を巻取った状態で収納箱内に収納されていることを特徴とする包装体収納装置である。
【００１０】
第１の特徴によれば、支持台上に包装体が蓋材を下方にして載置され、この場合、包装体のエンボス部が支持台の貫通孔上に位置する。揺動機構を揺動させることにより押圧部がエンボス部を押圧し、エンボス部内の内容物により蓋材が破断する。エンボス部内の内容物は、破断した蓋材から受台まで落下する。
【００１１】
第２の特徴によれば、包装体は蓋材を巻取った状態で収納箱内に収納されるので、包装体をコンパクトに収納することができる。
【００１２】
【発明の実施の形態】
以下、図面を参照して本発明の実施の形態について説明する。図１乃至図７は本発明による包装体開封装置および包装体収納装置を示す図である。
【００１３】
図１および図２に示すように、本発明による包装体収納装置は、収納箱１と、この収納箱１内に巻取った状態で収納された包装体１０と、収納箱１の上部に連結された包装体開封装置３１とを備えている。このうち収納箱１は側壁４ａ，４ｂ…を有するとともに箱型状をなし、その一側壁４ａの上部に収納箱１内の包装体１０を繰り出す開口２が設けられている。また収納箱１の開口２上縁には、カッタ３が固着されている。なお、図１および図２においてカッタ３が固着されているが、必ずしも必要なものではなく、必要に応じて固着されるべきものである。
【００１４】
次に図５乃至図７により包装体１０について述べる。図５乃至図７に示すように、包装体１０は上端が開口するとともに錠剤１５等の内容物を収納したエンボス部１２と、このエンボス部１２の上端開口に設けられたフランジ部１３とからなる多数の底材１１と、各底材１１のフランジ部１３上面にヒートシールされた蓋材２０とからなっている。この場合、蓋材２０は帯状に形成され、この帯状の蓋材２０に対して多数の底材１１が一列に連続配置されている。また収納箱１内において、包装体１０は蓋材２０を巻取った状態で収納されている（図５参照）。
【００１５】
底材１１は錠剤１５を収納したエンボス部１２毎の単位に構成され、各底材１１は個別に切離されて独立している。また各底材１１は、そのフランジ部１３を介して蓋材２０にヒートシールされている。
【００１６】
図７に示すように、各底材１１のフランジ部１３は、その周縁が平面円形状となっており、これに対応して内容物１５を収納するエンボス部１２も平面円形状となっている。ここで図７は便宜上、蓋材を透明体とした状態を示す図である。なお、フランジ部１３の周縁を平面円形状とすることなく、平面だ円形状としてもよく、またフランジ部１３の周縁を平面多角形状とするともに、その角を曲線状に形成してもよい。
【００１７】
このようにフランジ部１３の周縁を直線、曲線またはその組合せから構成することにより、フランジ部１３の周縁を安定な形状、すなわち誤って底材１１ごと錠剤を飲み込んだとしても体内の損傷が少なく、緊急の手術が必要となるような重い病状を引き起こすことのない形状とすることができる。
【００１８】
また蓋材２０には、各底材１１毎に切離し容易なようにハーフカット２０ａが設けられている。なお、このハーフカット２０ａの代わりにミシン目を設けてもよい。
【００１９】
次に包装体１０の各構成部分の材質について述べる。包装体１０のうち底材１１は、錠剤１５を収納保持するため比較的厚肉の材料からなっており、例えば２００〜３５０μ厚のＰＶＣ、環状ポリオレフィン、ＰＰ、またはＰＥＴ等を用いることができる。このため底材１１は比較的硬質となっている。
【００２０】
他方、蓋材２０としては比較的薄肉の材料、例えば１０〜２５μ厚の積層体を用いることができ、このような積層体の層構成としては、例えば、
ＯＰ層／アルミニウム層／ヒートシール層
が考えられる。
【００２１】
このうちヒートシール層としては、例えばポリ酢酸ビニル、ＰＶＡ、ポリビニルブチラール、ポリ塩化ビニル、ポリアミド系樹脂、ポリエステル系樹脂、ポリオレフィン系樹脂、ポリアクリル系樹脂、セルロースエステル、ポリエチレン等の熱可塑性樹脂の単独あるいは共重合体および混合物等を用いることができる。
【００２２】
蓋材２０は上述のように比較的薄肉の材料からなっているので、蓋材２０は比較的軟質となっている。
【００２３】
なお、図５乃至図７において、収納箱１の開口２から繰り出される包装体１０は、一列に連続配置された底材１１と、この底材１１のフランジ部１３上面にヒートシールされた蓋材２０とからなっているが、底材１１と蓋材２０の位置を逆転させ底材１１のフランジ部１３下面に蓋材２０をヒートシールし、蓋材２０の上方に底材１１を配置してもよい。
【００２４】
また包装体１０を、多列、例えば２列に配置された底材１１と、この底材１１のフランジ部１３がヒートシールされた蓋材２０とから構成してもよい。さらに包装体１０を４列に配置された底材１１と、この底材１１のフランジ部１３がヒートシールされた蓋材２０とから構成してもよい。
【００２５】
次に図１乃至図４により、収納箱１の上部に連結された包装体開封装置３１について詳述する。
【００２６】
図１乃至図４に示すように、包装体開封装置３１は、包装体１０を載置するための支持台３２と、支持台３２の下方に配設された受台３３と、支持台３２から上方へ延びる壁面３９に揺動点３４ａを介して揺動自在に設けられた揺動機構３４とを備えている。
【００２７】
支持台３２は３つの貫通孔３２ａを有するとともに、包装体１０のエンボス部１２が貫通孔３２上にくるよう蓋材２０側で包装体１０を支持している（図３参照）。また揺動機構３４は包装体１０のエンボス部１２を押圧する３つの押圧部３５を有している。この押圧部３５よりエンボス部１２を押圧することによって、エンボス部１２内の錠剤１５が蓋材２０を破断し、エンボス部１２から下方へ落下するようになっている。図１および図２において、３個のエンボス部を同時に押圧する構成となっているが、それ以上でも以下でもよいことはいうまでもない。
【００２８】
また揺動機構３４は押圧部３４の周囲に、支持台３２との間で包装体１０のフランジ部１３を挟持するホルダ部３６を有している。このホルダ部３６は、押圧部３４がエンボス部１２を押圧する際、包装体１０のフランジ部１３を支持台３２に対して押し付け、このことによりエンボス部１２内の錠剤１５が蓋材２０をスムースに破断できるようにするためのものである。なお、この揺動機構３４のホルダ部３６は、必ずしも設ける必要はない。
【００２９】
ところで、包装体開封装置３１は、上述のように収納箱の上方に一体に連結され、包装体開封装置３１の側壁５ａ，５ｂ…は収納箱１の側壁４ａ，４ｂ…から同一平面上に延びている。また包装体開封装置３１の受台３３は、収納箱１との間の仕切板として機能する。
【００３０】
また包装体開封装置３１の支持台３２と受台３３との間には空間４０が形成され、この空間４０の一側（側壁５ａ側）は密閉され、他側には錠剤取出口３８が形成されている。また空間４０の錠剤取出口３８は、揺動機構３４に設けられたシャッタ３７によって開閉されるようになっている。
【００３１】
次に包装体１０の製造方法について、図８により詳述する。図８に示すように、雌型（下型）２５と雄型（上型）２６との間に、例えばＰＶＣシートが挿入され、雌型２５と雄型２６との間でシートが圧空成形される。このように雌型２５と雄型２６との間で圧空成形（エンボス成形）することにより、多数のエンボス部１２を有するシート体３０が得られる（図８（ａ））。
【００３２】
次にシート体３０を保持した雌型２５は切断装置２７まで搬送され、雌型２５上に保持されたシート体３０は、各エンボス部１２の開口周縁にそって切断装置２７により切断される。このようにしてエンボス部１２とフランジ部１３を有する底材１１が成形される。この場合、各底材１１のエンボス部１２は、雌型２５の収納部２５ａ内に収納され、同時にシート体３０の打抜きかす３０ａは図示しない巻取装置によって巻取られる（図８（ｂ））。
【００３３】
次に底材１１を保持した雌型２５は充てん装置２８まで搬送され、雌型２５に保持された各底材１１のエンボス部１１内に充てん装置２８から錠剤１５が充てんされる。
【００３４】
次に底材１１を保持した雌型２５はヒートシール装置２９まで搬送され、雌型２５に保持された各底材１１のフランジ部１３に対して、例えばＯＰ層／アルミニウム層／ヒートシール層からなる蓋材２０がヒートシール装置２９によって加熱圧着される。このようにして各底材１１のフランジ部１３が蓋材２０によってヒートシールされ、各底材１１のエンボス部１２内が密封される。その後、蓋材２０に対してハーフカット２０ａが形成され、このようにして図５乃至図７に示す包装体１０が得られる。次に包装体１０は、蓋材２０を巻取った状態で収納箱１内に収納される。
【００３５】
次に図１乃至図４により、包装体収納装置の作用について説明する。まず図１に示すように、収納箱１内に収納された包装体１０が開口２から例えば３つのエンボス部１２分だけ繰り出され、包装体１０の蓋材２０がハーフカット２０ａに沿ってカッタ３により切断される。
【００３６】
次に３つのエンボス部１２分だけ繰り出され切断された包装体１０が、包装体開封装置３１の支持台３２上に蓋材２０を下方にして載置される。この場合、包装体１０のエンボス部１２は支持台３２の貫通孔３２上に配置される（図２参照）。
【００３７】
その後、図３および図４に示すように、揺動機構３４が揺動点３４ａを介して揺動し、揺動機構３４の押圧部３５により包装体１０のエンボス部１２が押圧される。包装体１０のエンボス部１２が押圧されると、エンボス部１２内の錠剤１５が蓋材２０を破断し、錠剤１５がエンボス部１２から受台３３上に落下する。このようにして３つのエンボス部１２から３個の錠剤１５が受台３３上に同時に落下することになる。この場合、空間４０は揺動機構３４のシャッタ３７により閉じられている。受台３３と支持台３２との間の空間４０内にある３つの錠剤１５は、その後シャッタ３７を開とすることにより、取出口３８から外方へ取出される。
【００３８】
このように本実施の形態によれば、包装体１０は蓋材２０を巻取った状態で収納箱１内に収納されるので、包装体１０をコンパクトに収納箱１内に収納することができる。また包装体開封装置３１によって、包装体１０内の錠剤１１を容易かつ簡単に取出すことができる。
【００３９】
ところで、錠剤１５を底材１１のエンボス部１２内から取り出すことなく、錠剤１５を底材１１および蓋材２０とともに飲み込んでしまう（誤用）ことがある。この場合、硬質の厚肉材料からなる底材１１は、個別に切離されて独立し、フランジ部１３を介して蓋材２０に接着されているので、フランジ部１３周縁が外部に露出することはない。またフランジ部１３の周縁は円形状となっているので、フランジ部１３周縁が外部に露出してもこのフランジ部１３により体内を傷付けることはない。なおカッタ３により切断された蓋材２０の切断端縁は四角形状となるが、蓋材２０は軟質の薄肉材料からなるので、蓋材２０によって体内を傷付けることはない。また蓋材２０によって指等を傷付けることはなく、また蓋材２０によって指等を傷付けることはない。
【００４０】
【発明の効果】
以上のように本発明によれば、包装体は蓋材を巻取った状態で収納体収納装置の収納箱に収納されているので、包装体をコンパクトに収納することができる。このため包装体がかさばることはない。また、包装体開封装置によって、包装体内の内容物を容易かつ簡単に取出すことができる。
【図面の簡単な説明】
【図１】本発明による包装体収納装置を示す斜視図。
【図２】図１に示す包装体収納装置において包装体開閉装置上に包装体を配置した状態を示す図。
【図３】包装体開封装置の開状態を示す側断面図。
【図４】包装体開封装置の閉状態を示す側断面図。
【図５】包装体収納装置の収納箱内に収納された包装体を示す側面図。
【図６】包装体の側断面図。
【図７】包装体の平面図であって便宜上蓋材を透明体とした状態を示す図。
【図８】包装体の製造方法を示す概略図。
【符号の説明】
１  収納箱
２  開口
１０  包装体
１１  底材
１２  エンボス部
１３  フランジ部
１５  錠剤
２０  蓋材
３１  包装体開封装置
３２  支持台
３２ａ  貫通孔
３３  受台
３４  揺動機構
３５  押圧部
３６  ホルダ部
３７  シャッタ
【図１】
0003694077.tif 000002
【図２】
0003694077.tif 000003
【図３】
0003694077.tif 000004
【図４】
0003694077.tif 000005
【図５】
0003694077.tif 000006
【図６】
0003694077.tif 000007
【図７】
0003694077.tif 000008
【図８】
0003694077.tif 000009